(57)【要約】【課題】  ＤＮＡとＤＮＡ結合分子の結合様式を簡便な装置を用いて、短時間で、少ない試料量で正確に判定する方法、及び、その判定に使用する試料を作製する方法を提供する。【解決手段】  ＤＮＡとＤＮＡに結合する分子の結合様式を分光光度計を用いて判定する判定方法において、ＤＮＡを含む水溶液とＤＮＡに結合する分子を混ぜた溶液からＤＮＡ分子鎖が配向した固体膜を作製し、分光光度計を用いてその偏光に対する吸光度を測定することにより前記結合様式を判定することを特徴とする。また、前記判定に使用する試料の作製方法において、ＤＮＡを含む水溶液とＤＮＡに結合する分子を混ぜた溶液を基板上に置いて磁場中で乾燥させることにより配向した固体膜を作製することを特徴とする。【選択図】  図２
2006220522.tif 000002
【特許請求の範囲】
【請求項１】
ＤＮＡとＤＮＡに結合する分子の結合様式を分光光度計を用いて判定する判定方法において、ＤＮＡを含む水溶液とＤＮＡに結合する分子を混ぜた溶液からＤＮＡ分子鎖が配向した固体膜を作製し、分光光度計を用いてその偏光に対する吸光度を測定することにより前記結合様式を判定することを特徴とするＤＮＡとＤＮＡに結合する分子の結合様式の判定方法。
【請求項２】
前記ＤＮＡ分子鎖が配向した固体膜の作製を、前記ＤＮＡを含む水溶液とＤＮＡに結合する分子を混ぜた溶液を基板上に置いて磁場中で乾燥させることにより行うことを特徴とする請求項１に記載のＤＮＡとＤＮＡに結合する分子の結合様式の判定方法。
【請求項３】
前記ＤＮＡ分子鎖が配向した固体膜の作製を、前記ＤＮＡを含む水溶液とＤＮＡに結合する分子を混ぜた溶液を基板上に置いて同一方向に延伸力を加えつつ乾燥させることにより行うことを特徴とする請求項１に記載のＤＮＡとＤＮＡに結合する分子の結合様式の判定方法。
【請求項４】
前記ＤＮＡとＤＮＡに結合する分子の結合様式の判定を、偏光板を組み込んだ紫外可視分光光度計でスペクトルを測定して行うことを特徴とする請求項１〜３のいずれか一項に記載のＤＮＡとＤＮＡに結合する分子の結合様式の判定方法。
【請求項５】
前記紫外可視分光光度計の偏光板の方向に対して前記固体膜のＤＮＡ分子鎖配向方向を平行及び垂直に配置して得られる２つのスペクトルを比較することにより行うことを特徴とする請求項４に記載のＤＮＡとＤＮＡに結合する分子の結合様式の判定方法。
【請求項６】
前記ＤＮＡとＤＮＡに結合する分子の結合様式の判定を、偏光板を組み込んだ蛍光分光光度計でスペクトルを測定して行うことを特徴とする請求項１〜３のいずれか一項に記載のＤＮＡとＤＮＡに結合する分子の結合様式の判定方法。
【請求項７】
前記ＤＮＡに結合する分子が、有機色素であることを特徴とする請求項１〜６のいずれか一項に記載のＤＮＡとＤＮＡに結合する分子の結合様式の判定方法。
【請求項８】
前記ＤＮＡに結合する分子が、医薬であることを特徴とする請求項１〜７のいずれか一項に記載のＤＮＡとＤＮＡに結合する分子の結合様式の判定方法。
【請求項９】
ＤＮＡとＤＮＡに結合する分子の結合様式を分光光度計を用いて判定するために使用する試料の作製方法において、ＤＮＡを含む水溶液とＤＮＡに結合する分子を混ぜた溶液を基板上に置いて磁場中で乾燥させることにより配向した固体膜を作製することを特徴とするＤＮＡとＤＮＡに結合する分子の結合様式を判定するために使用する試料の作製方法。
【請求項１０】
前記ＤＮＡに結合する分子が、有機色素であることを特徴とする請求項９に記載のＤＮＡとＤＮＡに結合する分子の結合様式を判定するために使用する試料の作製方法。
【請求項１１】
前記ＤＮＡに結合する分子が、医薬であることを特徴とする請求項９又は１０に記載のＤＮＡとＤＮＡに結合する分子の結合様式を判定するために使用する試料の作製方法。
【発明の詳細な説明】
【技術分野】
【０００１】
本発明は、医薬品の開発製造およびＤＮＡ関連基礎研究に有用なＤＮＡとＤＮＡに結合する分子（以下、「ＤＮＡ結合分子」という。）の結合様式を判定する方法及びその判定に使用する試料を作製する方法に関する。
【背景技術】
【０００２】
本発明に応用する基礎的操作のうち、ＤＮＡ分子鎖の配向がそろった膜材料の作製技術には、公知である（例えば、非特許文献１参照）。その手法には、磁場中で基板上のＤＮＡ溶液を乾燥させる、ＤＮＡ水溶液の小液滴を自然乾燥させる、単一方向に延伸力を加えつつ乾燥させる、の３方法がある。
【非特許文献１】Biomacromolecules(2004)，5，2297−2307
【０００３】
また、ＤＮＡとＤＮＡ結合分子の結合様式には代表的なものとして、
〔１〕インターカレーション（塩基対の間への挿入）、
〔２〕マイナーグルーブ結合（ＤＮＡ二重鎖の副溝にそってはさまる形で結合）、
〔３〕その他（ＤＮＡのリン酸基とイオン結合的に結合する、あるいは二重鎖の主溝に適合して結合するもの）、がある。
【０００４】
これらの結合様式の判定には、実際に複合体の立体構造解析を行う方法があったが、作業時間が長く、あるいは特殊な装置の利用が必要であるため、簡便ではなかった。
また、この方法以外に、
（ａ）流動二色性
（ｂ）流動蛍光二色性
（ｃ）粘度測定
による方法が広く知られている（例えば、非特許文献２及び３参照）。
【非特許文献２】Biochimica et Biophysica Acta，478(1977)23−32
【非特許文献３】Bull.Chem.Soc.Jpn.，63，758−764(1990) Vol.63，No.3
【０００５】
上記（ａ）は、紫外可視分光光度計（ＵＶ−ＶＩＳ分光計）に、目的混合溶液を一定速度にする装着治具を取り付け、偏光板を用いて、流れと平行と垂直の吸光度を測定し、この吸光係数の差を求めるものである。インターカレーション型では、負の値を取ることと、絶対値からインターカレーションの完全性や割合を判断する目安としている。これは、色素の分子双極子モーメントが分子長軸と一致し、吸光電子双極子モーメントもこれに一致するので、規則性をもって結合していれば、偏光板を通った励起光の透過の割合が、流れに平行方向と垂直方向で違いが生じることを利用している。つまり、流動とは、混合溶液を一定速度で流れる状況を作ることで、そこに溶けているＤＮＡ分子鎖が流れにたなびき、ＤＮＡ分子に入り込んだ色素もそれに応じて並んでいる環境を作ることである。色素が完全にＤＮＡ塩基対に平行に結合したときには、理論式によれば、−１．５となる（非特許文献２のｐ．２５式(３)）。
【０００６】
例えば、この流動二色性を用いて、ヘキスト３３２５８とＤＮＡ混合溶液を測定すると、ＤＮＡ塩基対由来の波長では−０．２２２〜−０．２８４と負であるのに対して、色素由来の蛍光ピークの波長３５５〜３６０ｎｍでは、０．１３０〜０．２２３と正の値となる。それよりＤＮＡ分子軸に４７度の角度に分子長軸があると計算され、インターカレーション結合ではなく、マイナーグルーブ結合（副溝結合）であると判定される（非特許文献３のｐ．７６２）。
【０００７】
上記（ｂ）は、蛍光分光計に、２枚の偏光板を組み合わせて、試料溶液をポンプを用いて一定速度で流動する状態にし、これを測定するものである。蛍光強度をＩとし、偏光板の組み合わせで、ＶＶ，ＶＨ，ＨＨ，ＨＶを測定する。これより、偏光度Ｐを計算する（非特許文献２のｐ．２５式(４)）。
【０００８】
上記（ｃ）は、キャピラリーを通る目的物質の速度を測定し、ＤＮＡと結合するインターカレーションの場合には、粘度が高くなることから判定するものである。その原理は、「インターカレーションに伴う二重らせんの巻き戻しによりＤＮＡが伸張し、直鎖状としたＤＮＡではインターカレーターの結合量と二重鎖伸張量は比例関係にある。」ということである。この原理を用いて、ＤＮＡ濃度を一定として水温とｐＨを制御し、これに検査する色素の濃度を振った混合溶液を作り、粘度測定を行う。既知の物質として、臭化エチジウムと比較するのが一般的である。濃度変化に対する粘度変化の割合が、臭化エチジウムに近いとインターカレーション型と予想され、変化が少ないとインターカレーション型ではないと判定する（非特許文献２のＦｉｇ．４）。
【０００９】
これら（ａ）〜（ｃ）のＤＮＡとＤＮＡ結合分子（色素）の結合様式の判定方法は、ＤＮＡと色素の混合溶液を使用するものであるから、溶液温度と流動速度（ポンプ）等を制御することが不可欠であり、またｐＨ値、緩衝溶液、混合比、濃度の条件設定が重要であり、複雑な装置を使用しなければならないという問題点があった。
また、本発明と同様にＤＮＡ分子鎖を配向させて分光光度計で測定を行う（ａ）では、溶液試料を特殊セルに入れて測定するためセルの洗浄を含めて長い操作時間を要し、また、ＤＮＡ結合分子の試料量も多く必要であるという問題点があった。
【発明の開示】
【発明が解決しようとする課題】
【００１０】
本発明は、上記のような問題点を解決しようとするものであり、ＤＮＡとＤＮＡ結合分子の結合様式を簡便な装置を用いて、短時間で、少ない試料量で正確に判定する方法を提供すること、その判定に使用する試料を作製する方法を提供することを課題とする。
【課題を解決するための手段】
【００１１】
本発明は、上記の課題を解決するために、以下の手段を採用する。
（１）ＤＮＡとＤＮＡ結合分子の結合様式を分光光度計を用いて判定する判定方法において、ＤＮＡを含む水溶液とＤＮＡ結合分子を混ぜた溶液からＤＮＡ分子鎖が配向した固体膜を作製し、分光光度計を用いてその偏光に対する吸光度を測定することにより前記結合様式を判定すること特徴とするＤＮＡとＤＮＡ結合分子の結合様式の判定方法である。
（２）前記ＤＮＡ分子鎖が配向した固体膜の作製を、前記ＤＮＡを含む水溶液とＤＮＡ結合分子を混ぜた溶液を基板上に置いて磁場中で乾燥させることにより行うことを特徴とする前記（１）のＤＮＡとＤＮＡ結合分子の結合様式の判定方法である。
（３）前記ＤＮＡ分子鎖が配向した固体膜の作製を、前記ＤＮＡを含む水溶液とＤＮＡ結合分子を混ぜた溶液を基板上に置いて同一方向に延伸力を加えつつ乾燥させることにより行うことを特徴とする前記（１）のＤＮＡとＤＮＡ結合分子の結合様式の判定方法である。
（４）前記ＤＮＡとＤＮＡ結合分子の結合様式の判定を、偏光板を組み込んだ紫外可視分光光度計でスペクトルを測定して行うことを特徴とする前記（１）〜（３）のいずれか一のＤＮＡとＤＮＡ結合分子の結合様式の判定方法である。
（５）前記紫外可視分光光度計の偏光板の方向に対して前記固体膜のＤＮＡ分子鎖配向方向を平行及び垂直に配置して得られる２つのスペクトルを比較することにより行うことを特徴とする前記（４）のＤＮＡとＤＮＡ結合分子の結合様式の判定方法である。
（６）前記ＤＮＡとＤＮＡ結合分子の結合様式の判定を、偏光板を組み込んだ蛍光分光光度計でスペクトルを測定して行うことを特徴とする前記（１）〜（３）のいずれか一のＤＮＡとＤＮＡ結合分子の結合様式の判定方法である。
（７）前記ＤＮＡ結合分子が、有機色素であることを特徴とする前記（１）〜（６）のいずれか一のＤＮＡとＤＮＡ結合分子の結合様式の判定方法である。
（８）前記ＤＮＡ結合分子が、医薬であることを特徴とする前記（１）〜（７）のいずれか一のＤＮＡとＤＮＡ結合分子の結合様式の判定方法である。
（９）ＤＮＡとＤＮＡ結合分子の結合様式を分光光度計を用いて判定するために使用する試料の作製方法において、ＤＮＡを含む水溶液とＤＮＡ結合分子を混ぜた溶液を基板上に置いて磁場中で乾燥させることにより配向した固体膜を作製することを特徴とするＤＮＡとＤＮＡ結合分子の結合様式を判定するために使用する試料の作製方法である。
（１０）前記ＤＮＡ結合分子が、有機色素であることを特徴とする前記（９）のＤＮＡとＤＮＡ結合分子の結合様式を判定するために使用する試料の作製方法である。
（１１）前記ＤＮＡ結合分子が、医薬であることを特徴とする前記（９）又は（１０）のＤＮＡとＤＮＡ結合分子の結合様式を判定するために使用する試料の作製方法である。
【発明の効果】
【００１２】
本発明の方法によれば、少量かつ多品種のＤＮＡ結合分子に対する結合様式の判定が短時間で正確に実行できるという効果がある。多数の試料について固体膜の作製を並行して行うことができ、分光計として通常の紫外可視分光光度計又は蛍光分光光度計にＰＶＡ系等の偏光板を装着するだけでよいので、簡便であり、自動化装置への展開においても有利である。
医薬品等の開発に極めて大きな寄与をもたらし、経済的波及効果は計り知れない。
【発明を実施するための最良の形態】
【００１３】
本発明は、ＤＮＡとＤＮＡ結合分子の混合溶液に、上記のＤＮＡ分子鎖配向固定化方法を適用して得られる膜を、偏光板或いは偏光プリズムなどの偏光子を備えた分光光度計を用いて、その偏光に対する吸光度を測定するだけで、両者の結合様式が上記の〔１〕、〔２〕、〔３〕のいずれであるかが簡単に正確に判定する方法に関わる。
分光光度計による測定は偏光板の方向に対して、固体膜（複合体膜）のＤＮＡ分子鎖配向方向を平行および垂直に配置して、２つのスペクトルを測定するだけでよい。
【００１４】
ＤＮＡ結合分子は、通常は複素芳香族あるいは共役系有機分子の有機色素であり、その特性吸光波長において、平行配置の場合の吸光度が、垂直配置の場合よりも小さければ、結合様式は〔１〕、逆に大きければ結合様式は〔２〕と判定できる。また同程度であれば結合様式は〔３〕と判定可能である。
【００１５】
本発明の優位性は、上記のように少量かつ多品種のＤＮＡ結合分子に対する結合様式の判定が短時間で正確に実行できる点である。具体的にはＤＮＡ結合分子の試料を計量し溶解した後、ＤＮＡを含む水溶液と混合し、そのまま透明基板上に数マイクロリットル乗せて、前述のＤＮＡ分子鎖配向固定化方法を適用して数分で複合体膜が得られる。これを紫外可視分光光度計又は蛍光分光光度計でスペクトルを測定して判定を行う。
【００１６】
また、多数の試料分子の性質を高効率でスクリーニングする場合には測定試料の迅速な調製が不可欠であり、本発明は、そのための並列処理が可能な点で非常に有利である。すなわち、微量な試料とＤＮＡの混合溶液を基板上に多数配置して、一度にこれらすべての複合体配向膜化を行い、これを顕微分光計あるいは画像カメラによって、吸光度あるいは透過光強度を、偏光板を使用して平行および垂直の２方向で観測すれば、多数の試料分子のＤＮＡとの結合様式の判定が短時間で可能となる。
【００１７】
図１に、ＤＮＡ分子鎖が配向した固体膜を用いて、偏光板（偏光子）を組み込んだ分光光度計によりスペクトルを測定する方法の概略図を示す。
光源から出た光は偏光板で偏光され、基板に載せた試料（ＤＮＡ分子鎖が配向した固体膜）を通過する。測定は固体膜が附着した基板の試料を回転角度Φで回転させて透過光の強度変化を測定する。
【００１８】
ＤＮＡ分子鎖が配向した固体膜の作製は、ＤＮＡを含む水溶液とＤＮＡ結合分子を混ぜた溶液を基板上に置いて磁場中で乾燥させること、ＤＮＡを含む水溶液とＤＮＡ結合分子を混ぜた溶液を基板上に置いて同一方向に延伸力を加えつつ乾燥させること等により行えるが、ＤＮＡを含む水溶液とＤＮＡ結合分子を混ぜた溶液を基板上に置いて磁場中で乾燥させることにより行うことが好ましい。
【００１９】
ＤＮＡは核酸塩基対が芳香環と類似した構造であり、磁場内に置かれると、そのπ電子にローレンツ力が生じ、それは法線方向に対してより大きく、磁気異方性があり、磁場に対して平行にすることで安定な配置をとることが知られているが、磁場に対して平行にするだけでは固定されないので、磁場作用だけでは配向できない。一方、ＤＮＡは液晶特性を持ち界面に並ぼうとする性質がある。この２つの作用によって磁場を作用させた中で、ＤＮＡ溶液を乾燥させ固体膜を作製すると、ＤＮＡ分子鎖は磁場に垂直でかつ空気界面に平行となり、均一なＤＮＡ分子配向膜となる。
【００２０】
本発明は、以上のような磁場によるＤＮＡ分子配向膜を作製する技術を、ＤＮＡを含む水溶液とＤＮＡ結合分子を混ぜた溶液に応用し、ＤＮＡ分子鎖が配向した固体膜を作製するものである。
磁場の強さは、４〜１２テスラが好ましい。４テスラより小さいと配向度が下がり、１２テスラを超えると溶液に及ぼす磁気力の効果が大きくなりすぎ、均一性が損なわれるためである。
乾燥時間は１〜６０分が望ましい。１分以下と短いと均一にならず、６０分を超えるとまた不均一となるためである。
このような方法で作製したＤＮＡ分子鎖が配向した固体膜を、ＤＮＡとＤＮＡ結合分子の結合様式を判定するために試料として使用すると、固体膜が均一であるから、より正確に判定を行うことができる。
【００２１】
本発明は、ＤＮＡ結合分子として、種々の有機色素を使用することができる。
ＤＮＡ結合性有機色素の結合様式として、アクリジンオレンジ（ＡｃｒＯ）、臭化エチジウム（ＥｔｄＢ）は、前述した〔１〕のインターカレーション結合型であることが知られており、ＤＡＰＩ、ヘキスト３３２５８（Ｈｏｅｃｈ）は、〔２〕のマイナーグルーブ結合型であること、ローダミンＢ（ＲｈｏＢ）は、〔３〕のその他の結合型（リン酸基結合型等）であることが知られている。
本発明の実施例においては、ＤＮＡとこれら既知の有機色素の結合様式を偏光板を組み込んだ紫外可視分光光度計（偏光ＵＶ−ＶＩＳ分光計）、偏光板を組み込んだ蛍光分光光度計（偏光ＦＬ分光計）により判定すると共に、ＤＮＡとオリジナル化合物の結合様式を偏光ＵＶ−ＶＩＳ分光計及び偏光ＦＬ分光計により判定した。
ＤＮＡ結合性オリジナル化合物が医薬の場合等に本発明の方法は有効である。
【実施例１】
【００２２】
アクリジンオレンジ０．００６ｍｇを試料とし、サケ由来ＤＮＡ０．３ｍｇを含む水溶液１０ｍｇを加えて溶解する。この溶液を石英ガラス基板に直径８ｍｍの円形に広げて置き、磁場（１０テスラ）中で自然乾燥（約１０分）させて取り出す。得られた複合体膜（固体膜）を基板のまま、図１(ａ)に示すような偏光板を組み込んだ紫外可視分光光度計にセットして、５２０ｎｍの波長を選んで偏光に対する吸光度を測定した。
ＤＮＡ分子鎖は磁場の方向に対して垂直であることがわかっているので、ＤＮＡ分子鎖配向方向と偏光板が平行な場合には、吸光度（Ａ１）０．５４７、また垂直な場合には吸光度（Ａ２）０．７１４が得られた。この結果はＡ１＜Ａ２であることから、アクリジンオレンジがインターカレーション型の結合様式でＤＮＡと結合していることを示す。
【実施例２】
【００２３】
ヘキスト３３２５８試薬０．０１３ｍｇを試料とし、サケ由来ＤＮＡ０．３ｍｇを含む水溶液１０ｍｇを加えて溶解する。この溶液を石英ガラス基板に置き、スパチュラの平端を用いて液を高粘度になるまで同一方向に延伸するように往復移動させる。そのまま自然乾燥させて得られた複合体膜（固体膜）を基板のまま、図１(ａ)に示すような偏光板を組み込んだ紫外可視分光光度計にセットして、３６０ｎｍの波長を選んで偏光に対する吸光度を測定した。
ＤＮＡ分子鎖は乾燥過程での往復移動方向に平行であることがわかっているので、ＤＮＡ分子鎖配向方向と偏光板が平行な場合には、吸光度（Ａ１）０．８９５、また垂直な場合には吸光度（Ａ２）０．７４９が得られた。この結果はＡ１＞Ａ２であることから、ヘキスト３３２５８試薬がマイナーグルーブ結合型の結合様式でＤＮＡと結合していることを示す。
【実施例３】
【００２４】
実施例１と同様な方法で、ＤＮＡにＥｔｄＢが結合した複合体膜、ＤＮＡにＤＡＰＩが結合した複合体膜、ＤＮＡにＲｈｏＢが結合した複合体膜を作製し、得られた複合体膜を基板のまま、図１(ａ)に示すような偏光板を組み込んだ紫外可視分光光度計にセットして、それぞれ、５２０ｎｍ、３５０ｎｍ、５５０ｎｍの波長を選んで偏光に対する吸光度を測定した。測定結果を図２に示す。
【００２５】
また、同じ複合体膜を基板のまま、図１(ｂ)に示すような偏光板を組み込んだ蛍光分光光度計にセットして、それぞれ、ＥｔｄＢについては、ＥＸ（励起波長）５２０ｎｍ、ＥＭ（蛍光の波長）６００ｎｍの条件、ＤＡＰＩについては、ＥＸ３５０ｎｍ、ＥＭ４６０ｎｍの条件、ＲｈｏＢについては、ＥＸ５５０ｎｍ、ＥＭ５９０ｎｍの条件で吸光度を測定した。測定結果を図３に示す。
【００２６】
図２及び図３より、いずれの分光光度計による場合でも、ＥｔｄＢがインターカレーション結合型、ＤＡＰＩがマイナーグルーブ結合型、ＲｈｏＢがその他の結合型（リン酸基結合型）でＤＮＡと結合していることが判定された。
【実施例４】
【００２７】
ＤＮＡ結合性オリジナル化合物として図４に示す構造式のものを用意して、実施例１と同様な方法で、ＤＮＡにオリジナル化合物が結合した複合体膜を作製し、得られた複合体膜を基板のまま、偏光板を組み込んだ紫外可視分光光度計にセットして、波長が３５０ｎｍから５００ｎｍの範囲で最大の光吸収を示す波長における偏光に対する吸光度を測定した。測定結果を図５に示す。
【００２８】
また、同じ複合体膜を基板のまま、図１(ｂ)に示すような偏光板を組み込んだ蛍光分光光度計にセットして、励起波長が３９０ｎｍから４４０ｎｍの範囲の光に対して得られる、波長が４６０ｎｍから５２０ｎｍの範囲の蛍光に対し発光強度を測定した。測定結果を図６に示す。
【００２９】
図５及び図６より、ＫＮ５Ａ、ＫＮ５Ｂ、ＫＮ５Ｃ、ＫＮ５Ｄ、ＫＮ５Ｅ、ＫＮ５Ｈ、ＫＮ５Ｉは、インターカレーション結合型であること、ＫＮ５Ｇは、インターカレーション結合型（挿入角３５度）、ＫＮ５Ｆは、その他の結合型（リン酸基結合型等）であることが判定された。
【図面の簡単な説明】
【００３０】
【図１（ａ）】ＤＮＡ分子鎖が配向した固体膜（サンプル）を用いて、偏光板を組み込んだ紫外可視分光光度計によりスペクトルを測定する方法を示す概略図である。
【図１（ｂ）】ＤＮＡ分子鎖が配向した固体膜（サンプル）を用いて、偏光板を組み込んだ蛍光分光光度計によりスペクトルを測定する方法を示す概略図である。
【図２】偏光ＵＶ−ＶＩＳ分光計による測定結果（ＥｔｄＢ，ＤＡＰＩ，ＲｈｏＢ）を示す図である。
【図３】偏光ＦＬ分光計による測定結果（ＥｔｄＢ，ＤＡＰＩ，ＲｈｏＢ）を示す図である。
【図４】ＤＮＡ結合性オリジナル化合物の構造式を示す図である。
【図５】偏光ＵＶ−ＶＩＳ分光計による測定結果（ＤＮＡ結合性オリジナル化合物）を示す図である。
【図６】偏光ＦＬ分光計による測定結果（ＤＮＡ結合性オリジナル化合物）を示す図である。
【図１（ａ）】
2006220522.tif 000003
【図１（ｂ）】
2006220522.tif 000004
【図２】
2006220522.tif 000005
【図３】
2006220522.tif 000006
【図４】
2006220522.tif 000007
【図５】
2006220522.tif 000008
【図６】
2006220522.tif 000009